(57)【要約】【課題】主に、外壁材が建物ユニットに対して横ズレするのを防止し得るようにする。【解決手段】建物に外壁材２を取付可能な金具本体を有する外壁取付金具４に関する。  外壁取付金具４の金具本体は、例えば、建物に取付可能な取付面１１と、外壁材２の背面に当接保持可能な外壁保持部１２と、外壁保持部１２と取付面１１とを連結する連結部１３と、外壁材２の上縁部または下縁部に係止可能な係止部１４と、を有したものとすることができる。  そして、金具本体が、外壁材２の側面２２を位置規制可能な規制面２５を備えている。  規制面２５が建物の外壁材２の側面２２を位置規制することで、外壁取付金具４を建物に取付けるだけで、そのまま外壁材２の横ズレを防止することができる。【選択図】図２
2018119266.tif 000002
【特許請求の範囲】
【請求項１】
建物に外壁材を取付可能な金具本体を有する外壁取付金具において、
前記金具本体が、建物に取付可能な取付面と、外壁材の背面を当接保持可能な外壁保持部と、該外壁保持部と前記取付面とを連結する連結部と、前記外壁材の上縁部または下縁部に係止可能な係止部と、を有すると共に、
前記金具本体が、前記外壁材の側面を位置規制可能な規制面を備えていることを特徴とする外壁取付金具。
【請求項２】
請求項１に記載の外壁取付金具であって、
前記外壁材が、外壁材同士の継ぎ目部分に重ね合わせ用の段差部を有しており、
前記規制面が、前記段差部の段差面までの高さと同じかそれよりも短い突出量を有していることを特徴とする外壁取付金具。
【請求項３】
請求項１または請求項２に記載の外壁取付金具であって、
前記規制面は、前記金具本体における、前記外壁材の上端部の側面を係止可能な位置に設けられていることを特徴とする外壁取付金具。
【発明の詳細な説明】
【技術分野】
【０００１】
この発明は、外壁取付金具に関するものである。
【背景技術】
【０００２】
例えば、戸建住宅などの建物には、予め工場で製造した複数の建物ユニットを建築現場へ輸送して、建築現場で組み合わせることで構築できるようにしたユニット建物などがある。
【０００３】
上記した建物ユニットは、外壁材が取付けられた状態で工場から出荷される。建物ユニットに対する外壁材の取付けには、例えば、特許文献１や特許文献２に開示されたような外壁取付金具が用いられる。
【先行技術文献】
【特許文献】
【０００４】
【特許文献１】特開２０１６−１０４９５３号公報
【特許文献２】特開２０１６−１２５２３０号公報
【発明の概要】
【発明が解決しようとする課題】
【０００５】
ユニット建物では、工場で製造した建物ユニットを建築現場へ輸送する際に、外壁材が輸送振動などで建物ユニットに対して横ズレするおそれがあった。
【０００６】
そこで、本発明は、主に、上記した問題点を解決することを目的としている。
【課題を解決するための手段】
【０００７】
上記課題を解決するために、本発明は、
建物に外壁材を取付可能な金具本体を有する外壁取付金具において、
前記金具本体が、建物に取付可能な取付面と、外壁材の背面を当接保持可能な外壁保持部と、該外壁保持部と前記取付面とを連結する連結部と、前記外壁材の上縁部または下縁部に係止可能な係止部と、を有すると共に、
前記金具本体が、前記外壁材の側面を位置規制可能な規制面を備えていることを特徴とする。
【発明の効果】
【０００８】
本発明によれば、上記構成によって、外壁材が建物ユニットに対して横ズレするのを防止することなどができる。
【図面の簡単な説明】
【０００９】
【図１】外壁材が設置された建物ユニット（建物）をトラックで輸送する状態を示す図である。
【図２】本実施の形態にかかる外壁取付金具によって外壁材が上下に取付けられた建物ユニットの部分的な側面図である。
【図３】本実施の形態にかかる外壁取付金具によって最上段の外壁材が取付けられた建物ユニットの部分的な側面図である。
【図４】外壁取付金具によって建物ユニットのコーナー部に位置する小型の外壁材を設置した状態を示す部分拡大斜視図である。
【図５】図２の外壁取付金具の斜視図である。
【図６Ａ】図５の外壁取付金具の正面図である。
【図６Ｂ】図６Ａの外壁取付金具のＡ−Ａ線に沿った断面図である。
【図６Ｃ】図５の外壁取付金具の平面図である。
【図７】図３の外壁取付金具の斜視図である。
【図８Ａ】図７の外壁取付金具の正面図である。
【図８Ｂ】図７の外壁取付金具の側面図である。
【図８Ｃ】図７の外壁取付金具の平面図である。
【図９Ａ】コーナー部に外壁材を設置する前の状態を示す建物ユニットの部分拡大斜視図である。
【図９Ｂ】コーナー部に下段の外壁材を設置した状態を示す建物ユニットの部分拡大斜視図である。
【図９Ｃ】コーナー部に中段の外壁材を設置した状態を示す建物ユニットの部分拡大斜視図である。
【図９Ｄ】コーナー部に（最）上段の外壁材を設置した状態を示す建物ユニットの部分拡大斜視図である。
【図１０】外壁材に横ズレが生じた建物ユニットの側面図である。
【図１１】外壁材の横ズレを調整する様子を示した建物ユニットの側面図である。
【発明を実施するための形態】
【００１０】
以下、本実施の形態を、図面を用いて詳細に説明する。
図１〜図１１は、この実施の形態を説明するためのものである。
【実施例１】
【００１１】
＜構成＞以下、構成について説明する。
【００１２】
戸建住宅などの建物には、図１に示すように、予め工場で製造した建物ユニット１を建築現場へ輸送して、建築現場で複数の建物ユニット１を組み合わせることによって構築できるようにしたユニット建物などが存在している。
【００１３】
上記した建物ユニット１は、外壁材２が取付けられた状態で工場から出荷される。建物ユニット１の輸送には、トラックなどの車両３が用いられる。
【００１４】
ここで、建物ユニット１には、木質系のものと鉄骨系のものとが存在している。木質系の建物ユニット１は、床パネルと、天井パネルと壁パネルとを組み合わせた直方体状のユニット本体を有している。
【００１５】
また、鉄骨系の建物ユニット１は、４本の金属製の柱の上端部間を４本の金属製の天井梁で矩形状に連結すると共に、金属製の４本の金属製の柱の下端部間を４本の金属製の床梁で矩形状に連結して成るボックスラーメン構造のユニットフレームを有する直方体状のユニット本体を備えている。
【００１６】
建物ユニット１に対する外壁材２の取付けには、例えば、図２、図３に示すような外壁取付金具４，５が用いられる。外壁取付金具４，５については、後述する。
【００１７】
外壁材２は、建物ユニット１（建物）に対し上下方向６に多段状に設置される。上下の外壁材２は、下側のものから順に設置される。外壁材２は、建物ユニット１のユニット本体に設けられた下地材７（下地壁材７ａや下地枠材７ｂなど）に対し上記した外壁取付金具４，５を用いて取付けられる。
【００１８】
そして、以上のような基本的な構成に対し、この実施例は、以下のような構成を備えている。
【００１９】
（１Ａ）建物（建物ユニット１）に外壁材２を取付ける外壁取付金具４，５が、その金具本体に、外壁材２の側面２２を位置規制可能な規制面２５を備えるようにする。
【００２０】
ここで、外壁取付金具４，５の金具本体は、例えば、ステンレス鋼板やメッキ鋼板などの金属製の平板材によって構成される。
【００２１】
外壁材２の側面２２は、（建物に設置された状態の）外壁材２の左右端に位置して上下方向６へ延びる縁部（左右の端縁部）のことである。
【００２２】
規制面２５は、外壁材２の側面２２に当接される面である。規制面２５は、外壁取付金具４，５とは別のステンレス鋼板やメッキ鋼板などの金属製の平板材によって構成されると共に、外壁取付金具４，５に対して一体に設けられる。
【００２３】
規制面２５による外壁材２の側面２２の位置規制は、外壁材２の横ズレ（図１０の矢印参照）を防止するために行われる。外壁材２の横ズレは、直方体状をした建物ユニット１の面に沿った外壁材２の水平方向（左右方向）などへの位置ズレのことである。この位置ズレは、主に、建物ユニット１を建築現場へ輸送する際の輸送振動などによって発生するもの（輸送ズレ）である。よって、このような横ズレは、ユニット建物のような（建物ユニット１の）輸送を伴わない建物の場合にはほとんど見られないものである。
【００２４】
なお、外壁材２の横ズレは、建物ユニット１のコーナー部などに位置する小型の外壁材２（２Ａ、図４参照）などに生じ易く、また、この小型の外壁材２（２Ａ）に隣接する外壁材２にも生じ易い。横ズレは、例えば、ほぼ１ｍｍ以上の大きさのズレとされる。
【００２５】
（１Ｂ）そして、外壁取付金具４，５の金具本体は、建物（建物ユニット１の下地材７）に取付可能な取付面１１と、外壁材２の背面を当接保持可能な外壁保持部１２と、外壁保持部１２と取付面１１とを連結する連結部１３と、外壁材２の上縁部または下縁部を係止可能な係止部１４，１５と、を有するものとされても良い。
【００２６】
ここで、外壁取付金具４，５には、図２に示すように、上下に位置する２枚の外壁材２を同時に取付けるようにしたもの（外壁取付金具４、詳しくは図５、図６Ａ〜図６Ｃ参照）と、図３に示すように、最上段の外壁材２のみを取付けるようにしたもの（外壁取付金具５、詳しくは図７、図８Ａ〜図８Ｃ参照）とが存在している。
【００２７】
２つの外壁取付金具４，５は、形状が異なっているが、基本的にはほぼ同じ機能を有しており、金具本体に、取付面１１と外壁保持部１２と連結部１３と係止部１４または係止部１５とを有している点で共通している。
【００２８】
外壁取付金具４，５の金具本体は、１枚の平板材の両側部を、上下方向６へ延びる折線に沿ってほぼ垂直に２回内折りすることによって取付面１１の両側部に左右一対の連結部１３および外壁保持部１２をそれぞれ形成したものとされている。
【００２９】
取付面１１には、建物（建物ユニット１の下地材７）に対してビス止めするためのネジ孔１７が単数または複数設けられる。この場合、ネジ孔１７は、取付面１１の上側部分における幅中央部の１箇所（図７参照）や、幅中央部とその両側部の３箇所（図６Ａ参照）などに設けられている。
【００３０】
ネジ孔１７の回りには、ビス１６やネジなどの挿入方向を案内する座１８（図６Ａ参照）などを設けても良い。例えば、ネジ孔１７をバーリンク孔などとすることで、ビス１６を取付面１１に対して面直方向や斜め下向きなどに案内する座１８を同時に設けることができる。座１８は、ネジ孔１７と同心に設けても良いし、または、ネジ孔１７と中心をズラせて設けても良い。座１８をネジ孔１７と同心に設けることで、ビス１６を取付面１１に対して面直方向に案内することができる。また、座１８をネジ孔１７と中心をズラせて設けることで、ビス１６を取付面１１に対して斜め下向きなどの面直方向以外の方向に案内することができる。但し、座１８の形状や、ビス１６を案内する角度については、上記に限るものではない。
【００３１】
外壁保持部１２は、ネジ孔１７を用いて取付面１１を下地材７にネジ留めする際に、工具などが干渉しない位置に干渉しない長さや大きさで設けられる。この場合、取付面１１の上側（におけるネジ孔１７の周囲）に位置する左右の外壁保持部１２は、それぞれ小型の屈曲片で構成されるようにしていると共に、取付面１１の下側（におけるネジ孔１７の無い部分）に位置する左右の外壁保持部１２はより大型の屈曲片で構成されるようにしている。
【００３２】
連結部１３は、建物（の下地材７）と外壁材２（の背面）との間に所要の通気隙間Ｓを形成するのに必要な幅を有するものとされている。
【００３３】
そして、係止部１４，１５は、取付面１１の上端側または下端側を、水平方向または左右方向へ延びる折線に沿ってほぼ垂直に内折りすることによって形成されている。
【００３４】
具体的に、図２（図５）の外壁取付金具４では、係止部１４は、取付面１１の下端側から中間部までの部分を上方へほぼ垂直に切り起こすことで、取付面１１の上下方向６の中間部に位置するように形成されている。この係止部１４は、金具本体の幅方向の中央部に１箇所設けられている。
【００３５】
また、図３（図７）の外壁取付金具５では、係止部１５は、取付面１１の上端側を下方へほぼ垂直に折り曲げることで、取付面１１の上部に位置するように形成されている。この係止部１５は、金具本体の幅方向の両側部に２箇所設けられている。
【００３６】
なお、外壁取付金具４，５の金具本体は、それぞれ上下方向６へ延びる幅中心線に対して左右対称となる構造を有している。金具本体の各部には、必要に応じて補強ビード１９（図８Ａ参照）などを適宜設けることができる。
【００３７】
そして、図２（図５）の外壁取付金具４では、下段の外壁材２の上縁部に係止部１４（の爪部１４ａ）を係止させた状態にして、下段の外壁材２の上縁部よりも上に位置する取付面１１の上部を建物ユニット１の下地材７にビス１６で固定することによって、下段の外壁材２の上縁部を建物ユニット１に保持し得るようにしている。
【００３８】
次に、外壁取付金具４の係止部１４（の爪部１４ｂ）に上段の外壁材２の下縁部を係止させることによって上段の外壁材２の下縁部を建物ユニット１に保持し得るようにしている。そして、上記を下側から順に繰り返し行うことで、外壁材２を上下方向６に多段に設置することが可能となる。
【００３９】
また、図３（図７）の外壁取付金具５では、最上段となった外壁材２の上縁部に係止部１５（の爪部１５ａ）係止させた状態にして、取付面１１を建物ユニット１の下地材７にビス１６で固定することによって、最上段の外壁材２の上縁部を建物ユニット１に保持し得るようにしている。
【００４０】
そして、上記した規制面２５は、上記した外壁取付金具４，５における金具本体の一側部または他側部のみに取付けられる。そして、規制面２５を一側部に有する外壁取付金具４，５と、規制面２５を他側部に有する外壁取付金具４，５とは、セットにして外壁材２の左右の両側面２２の位置規制を適宜行わせるようにしても良いし、または、単独で用いて外壁材２の片側の側面２２の位置規制のみを行わせるようにしても良い。
【００４１】
規制面２５は、金具本体の外壁保持部１２の位置よりも外壁材２の表面側へ突出するものとされる。規制面２５は、金具本体とは別に構成されて、金具本体の連結部１３に面を重ね合わせた状態でリベットなどの取付具２３によって一体的に固定される。金具本体の連結部１３と規制面２５との間には、取付具２３で固定するための取付孔が設けられる。
【００４２】
規制面２５を構成する別の平板材は、例えば、正面から見てほぼ矩形状のものなどとされている。矩形状をした別の平板材は、その角部３５（図５参照）を角取りしても良い（角取部）。この角取りを行うことによって、規制面２５から尖った角部３５が無くなったり少なくなったりするので、作業の安全性を向上すると共に、角部３５によって外壁材２や建物の取付面１１などを不用意に傷付けてしまうことを防止できる。
【００４３】
そして、金具本体に規制面２５を一体に設置することにより、外壁取付金具４，５は、外壁材２の側面２２の最適設置位置に設置されることになる。
【００４４】
（２）図２、図３に示すように、外壁材２が、外壁材２同士の継ぎ目部分に重ね合わせ用の段差部４２を有している。
この場合に、規制面２５が、段差部４２の段差面４２ａまでの高さ４５と同じかそれよりも短い突出量４６を有するようにしても良い（段差面４２ａまでの高さ４５＞規制面２５の突出量４６）。
【００４５】
ここで、外壁材２同士の継ぎ目部分は、主に、外壁材２の上縁部と下縁部との間などに設けられている。
【００４６】
重ね合わせ用の段差部４２は、外壁材２の上縁部の外側を切り欠いて設けた雄型（または凸型）のものと、外壁材２の下縁部の内側を切り欠いて設けた雌型（または凹型）のものとによる合決り部（あいじゃくりぶ）などとされている。
【００４７】
段差部４２の段差面４２ａまでの高さ４５は、外壁材２の背面から、段差面４２ａまでの距離のことである。規制面２５の突出量４６は、外壁材２の背面の位置から外壁材２の表面側への延び量のことである。
【００４８】
なお、図２に示すように、外壁材２の上縁部の雄型の段差部４２には、下り勾配の斜面が設けられている。また、外壁材２の下縁部の雌型の段差部４２には、上り勾配の斜面が設けられている。そして、上記したように、外壁取付金具４，５の係止部１４，１５は、先端に設けた傾斜した爪部１４ａ，１４ｂ，１５ａで、これらの斜面を上下方向６に係止し得るようになっている。
【００４９】
そのために、図５の外壁取付金具では、係止部１４が、上り勾配の斜面を取付部の全幅に亘って下側から係止する爪部１４ｂと、この爪部１４ｂから斜め下方へ切り起こされて下り勾配の斜面を上側から部分的に係止する左右の爪部１４ａと、を有している。
【００５０】
図７の外壁取付金具５では、左右の係止部１５が、下り勾配の斜面を上側から部分的に係止する爪部１５ａをそれぞれ有している。
【００５１】
（３）規制面２５は、金具本体における、外壁材２の上端部の側面２２を係止可能な位置に設けられるようにしても良い。
【００５２】
ここで、外壁材２の上端部の側面２２を係止可能な位置は、外壁材２の上端部と対応する位置のことであり、金具本体の連結部１３における、係止部１４，１５よりも下側となる位置のことである。
【００５３】
特に、図２（図５）のように上下の外壁材２を取付けるようにした外壁取付金具４の場合、係止部１４よりも上側が上側の外壁材２の下端部に対応し、係止部１４よりも下側が下側の外壁材２の上端部に対応しているので、規制面２５は金具本体の低い位置に係止部１４を越えない高さで取付けられることになる。
【００５４】
＜作用＞以下、この実施例の作用について説明する。
【００５５】
予め工場で製造した複数の建物ユニット１を建築現場へ輸送して、建築現場で組み合わせることでユニット建物を構築する。
【００５６】
上記した建物ユニット１は、外壁材２を取付けた状態にして工場から出荷する。この際、外壁材２を、例えば、図２、図３に示すような規制面２５を備えた外壁取付金具４，５を用いて建物ユニット１に取付ける。
【００５７】
この実施例では、規制面２５を備えた外壁取付金具４，５は、少なくとも、建物ユニット１の出隅となるコーナー部分に設置される平面視Ｌ字状をした小型の外壁材２（２Ａ）に対して用いるようにしている。なお、規制面２５を備えた外壁取付金具４，５は、コーナー部分に設置される小型の外壁材２（２Ａ）に隣接する外壁材２や、その他の外壁材２などに用いても良い。
【００５８】
この際、例えば、図９Ａ〜図９Ｄに順に示すような工程を行うようにしても良い。先ず、建物ユニット１の出隅となるコーナー部分（図９Ａ）に、下段の外壁材２Ａを設置して、下段の外壁材２Ａの上端部の両側を外壁取付金具４で固定する（図９Ｂ）。次に、この外壁取付金具４に下端部を保持させるようにして中段の外壁材２Ａを設置し、中段の外壁材２Ａの上端部の両側を外壁取付金具４で固定する（図９Ｃ）。最後に、この外壁取付金具４に下端部を保持させるようにして最上段の外壁材２Ａを設置し、最上段の外壁材２Ａの上端部の両側を外壁取付金具５で固定する（図９Ｄ）。外壁取付金具４，５には、金具本体の一側部または他側部の一方に規制面２５を備えたものをセットで用いて、外壁材２Ａの左右の両側面２２を同時に位置規制しながら外壁材２Ａを取付ける。
【００５９】
＜効果＞この実施例によれば、以下のような効果を得ることができる。
【００６０】
（効果１Ａ）建物に対して外壁材２を取付けるための外壁取付金具４，５を設けた。そして、外壁取付金具４，５の金具本体に対して規制面２５を一体的に設けた。この規制面２５が建物の外壁材２の側面２２を位置規制することで、外壁取付金具４，５を建物に取付けるだけで、そのまま外壁材２の横ズレを防止し得るようにした。
【００６１】
これにより、例えば、建物が、予め工場で製造した複数の建物ユニット１を建築現場へ輸送して、建築現場で組み合わせることによって構築するようにしたユニット建物などである場合に、建物ユニット１の輸送中に、輸送振動などで外壁材２が建物ユニット１に対して横ズレ（図１０参照）するのを、外壁取付金具４，５の規制面２５によって有効に防止することができる。
【００６２】
即ち、建物や建物ユニット１に対して外壁材２を取付ける際には、遊びやガタ付きなどの発生が避けられないため、この遊びやガタ付きなどによって、輸送中に外壁材２が横ズレを起こす可能性がある。これまでは、輸送中の外壁材２の横ズレを防止するために、例えば、外壁材２を建物に釘などで直接固定するなどしていたが、このようにすると、外壁材２に傷を付けることになるので好ましくない。
【００６３】
これに対し、上記した規制面２５を有する外壁取付金具４，５を用いるだけで、手間をかけずに外壁材２の遊びやガタ付きなどを抑制して横ズレを防止できることから、外壁材２の横ズレ防止のために、外壁材２を建物に釘などで直接固定する必要がなくなるので、外壁材２を傷付けなくて済むようになる。
【００６４】
よって、建物の外観品質を向上することができると共に、外壁材２を建物に釘などで直接固定した時にできる傷を補修する作業をなくすことや、外壁材２に傷を補修した痕などが残って性能（品質性能や外観性能など）が低下することを防止できる。
【００６５】
しかも、この規制面２５を有する外壁取付金具４，５を用いた場合には、外壁材２を建物に釘などで直接固定しなくて済むので、外壁材２の取付け後や建物ユニット１の輸送後などに、必要に応じて、外壁材２の微妙な位置調整を行うこと（例えば、図１１に示すように、外壁材２をゴムハンマーなどで叩いて外壁材２の位置をずらして横ズレを微調整すること）なども可能となる。
【００６６】
（効果１Ｂ）外壁取付金具４，５の金具本体を、取付面１１と外壁保持部１２と連結部１３と係止部１４，１５とを有するものとしても良い。そして、取付面１１を建物に取付け、外壁保持部１２で外壁材２の背面を当接保持し、連結部１３で外壁保持部１２と取付面１１とを連結し、係止部１４，１５で外壁材２の上縁部または下縁部を係止することで、建物に外壁を取付けることができる。
【００６７】
この金具本体は、既存のものとほぼ同様の構造を備えていて取扱いも容易であるので、このような金具本体に規制面２５を設けて外壁取付金具４，５とすることで、外壁取付金具４，５の取付の作業性を低下することなく、外壁取付金具４，５に位置規制機能を持たせることができる。
【００６８】
また、規制面２５を金具本体に追加した外壁取付金具４，５は、使用するビス１６などの固定具や固定方法なども既存のものとほぼ同じにできるので、特別な固定具を用いたり、特別な固定方法を行ったりする必要がない。
【００６９】
更に、規制面２５は、外壁材２や建物を傷付けることなく外壁取付金具４，５の金具本体から取り外す（分離する）ことが可能である。
【００７０】
そして、規制面２５を、通気隙間Ｓを確保可能な長さの通気隙間Ｓ形成部分（連結部１３）を有する金具本体に取付けることにより、外壁取付金具４，５に、位置規制機能と、通気機能との両方を備えさせることができる。
【００７１】
（効果２）規制面２５を、外壁材２の段差部４２の段差面４２ａまでの高さ４５と同じかそれよりも短い突出量４６にしても良い。これにより、万一、輸送振動などによって外壁材２が横ズレしてしまった場合に、外壁材２の側面２２の表面側の部分を切削して横ズレの状態が外部から分からなくなるように修正することができるようになり、比較的簡単に外観品質の向上を図ることができる。
【００７２】
なお、外壁材２が横ズレした場合、これまでは、図１１に示すように、外壁材２をゴムハンマーなどで叩いて横ズレを微調整する手段しか存在しておらず、手間がかかっていた。しかし、規制面２５を有する外壁取付金具４，５を用いることにより、上記したような外壁材２をゴムハンマーなどで叩くようにする横ズレの微調整が基本的に不要になると共に、必要な場合には、外壁材２をゴムハンマーなどで叩くようにする横ズレの微調整を行うことと、外壁材２の側面２２の表面側の部分を切削する修正との両方が可能となり、外観品質を向上するための修正手段を増やすことができる。
【００７３】
（効果３）規制面２５を、金具本体における、外壁材２の上端部の側面２２を係止可能な位置（のみにかかるように）に設けても良い。これにより、規制面２５と、規制面２５によって位置規制されない上段側の外壁材２の下端部との干渉が防止されるので、上段の外壁材２を設置する際に、規制面２５が上段の外壁材２の下端部を傷付けるのを防止することができる。
【００７４】
また、規制面２５は、上段の外壁材２の下端部を規制しないので、上段の外壁材２を設置する際に、上段の外壁材２の位置調整を行うことが可能となる。
【００７５】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００７６】
１      建物ユニット（建物）
２      外壁材
４      外壁取付金具
５      外壁取付金具
１１    取付面（金具本体）
１２    外壁保持部（金具本体）
１３    連結部（金具本体）
１４    係止部（金具本体）
１５    係止部（金具本体）
２２    側面
２５    規制面
４２    段差部
４２ａ  段差面
４５    高さ
４６    突出量
【図１】
2018119266.tif 000003
【図２】
2018119266.tif 000004
【図３】
2018119266.tif 000005
【図４】
2018119266.tif 000006
【図５】
2018119266.tif 000007
【図６Ａ】
2018119266.tif 000008
【図６Ｂ】
2018119266.tif 000009
【図６Ｃ】
2018119266.tif 000010
【図７】
2018119266.tif 000011
【図８Ａ】
2018119266.tif 000012
【図８Ｂ】
2018119266.tif 000013
【図８Ｃ】
2018119266.tif 000014
【図９Ａ】
2018119266.tif 000015
【図９Ｂ】
2018119266.tif 000016
【図９Ｃ】
2018119266.tif 000017
【図９Ｄ】
2018119266.tif 000018
【図１０】
2018119266.tif 000019
【図１１】
2018119266.tif 000020